(57)【特許請求の範囲】
【請求項１】
中継設備と基地局とのＵｎインターフェース・プロトコル・スタックにおいて少なくとも２つの伝送面を配置するステップと、
前記中継設備と前記基地局とが、伝送待機データが必要とするサービス品質ＱｏＳレベルを確定するステップと、
前記Ｕｎインターフェース・プロトコル・スタックに配置した少なくとも２つの伝送面から確定したＱｏＳレベルを提供可能な伝送面を選定するステップと、
前記中継設備と前記基地局とが選定した伝送面により伝送待機データを伝送するステップとを含むことを特徴とする中継移動通信システムに基づくデータ伝送方法。
【請求項２】
中継設備と基地局とのＵｎインターフェース・プロトコル・スタックにおいて少なくとも２つの伝送面を配置するステップと、
前記中継設備と前記基地局とが前記Ｕｎインターフェース・プロトコル・スタックに配置した少なくとも２つの伝送面によりデータを伝送するステップとを含み、
ここで、前記伝送面が、ユーザー伝送面と制御伝送面とを含み、
前記ユーザー伝送面が、物理層、メディアアクセス制御（ＭＡＣ）層、無線リンク制御（ＲＬＣ）エンティティ層およびパケットデータ制御プロトコル（ＰＤＣＰ）層を含み、
前記制御伝送面が、物理層、ＭＡＣ層、ＲＬＣエンティティ層、ＰＤＣＰ層および無線
リソース制御（ＲＲＣ）層を含み、
前記中継設備と前記基地局とが少なくとも２つの伝送面によりデータを伝送するステップが、
前記中継設備と前記基地局とが、第１伝送面においてＭＡＣ層のデータを伝送するＭＡＣ層パケットヘッドにおける保留ビット位置に載せたビット情報に基づき、前記Ｕｎインターフェース・プロトコル・スタックに配置した少なくとも２つの伝送面の中から前記ビット情報が表示するＲＬＣエンティティ・アイデンティティと一致するＲＬＣエンティティが所在する第２伝送面を確定するステップと、
前記第１伝送面における前記ＭＡＣ層の伝送データを、確定した第２伝送面における前記ＲＬＣエンティティに転送し、引き続き伝送するステップとを含むことを特徴とする中継移動通信システムに基づくデータ伝送方法。
【請求項３】
中継設備と基地局とのＵｎインターフェース・プロトコル・スタックにおいて少なくとも２つの伝送面を配置するステップと、
前記中継設備と前記基地局とが前記Ｕｎインターフェース・プロトコル・スタックに配置した少なくとも２つの伝送面によりデータを伝送するステップとを含み、
ここで、前記伝送面が、ユーザー伝送面と制御伝送面とを含み、
前記ユーザー伝送面が、物理層、メディアアクセス制御（ＭＡＣ）層、無線リンク制御（ＲＬＣ）エンティティ層およびパケットデータ制御プロトコル（ＰＤＣＰ）層を含み、
前記制御伝送面が、物理層、ＭＡＣ層、ＲＬＣエンティティ層、ＰＤＣＰ層および無線リソース制御（ＲＲＣ）層を含み、
前記中継設備と前記基地局とが少なくとも２つの伝送面によりデータを伝送するステップが、
前記中継設備と前記基地局とが第１伝送面においてＭＡＣ層の伝送データのＭＡＣ層パケットヘッドにおける保留ビット位置に載せたビット情報、およびプリセットビット情報とＲＬＣエンティティ・アイデンティティの対応関係に基づき、前記伝送データのＭＡＣ層パケットヘッドにおいて保留ビット位置に載せたビット情報に対応するＲＬＣエンティティ・アイデンティティと一致するＲＬＣエンティティが所在する第２伝送面を確定するステップと、
前記第１伝送面におけるＭＡＣ層の伝送データを、確定した第２伝送面におけるＲＬＣエンティティに転送し、引き続き伝送するステップとを含むことを特徴とする中継移動通信システムに基づくデータ伝送方法。
【請求項４】
中継移動通信システムに基づくデータ伝送装置であって、
前記装置のＵｎインターフェース・プロトコル・スタックに少なくとも２つの伝送面が配置され、
前記装置は、
伝送待機データが必要とするサービス品質ＱｏＳレベルを確定するサブ手段と、
前記Ｕｎインターフェース・プロトコル・スタックに配置した少なくとも２つの伝送面から確定したＱｏＳレベルを提供可能な伝送面を選定するサブ手段と、
選定した伝送面により伝送待機データを伝送するサブ手段とを備えることを特徴とする中継移動通信システムに基づくデータ伝送装置。
【請求項５】
中継移動通信システムに基づくデータ伝送装置であって、
前記装置のＵｎインターフェース・プロトコル・スタックに少なくとも２つの伝送面が配置され、
前記装置は、
第１伝送面においてメディアアクセス制御（ＭＡＣ）層のデータを伝送するＭＡＣ層パ
ケットヘッドにおける保留ビット位置に載せたビット情報に基づき、Ｕｎインターフェー
ス・プロトコル・スタックに配置した少なくとも２つの伝送面の中から前記ビット情報が
表示する無線リンク制御（ＲＬＣ）エンティティ・アイデンティティと一致するＲＬＣエ
ンティティが所在する第２伝送面を確定するサブ手段と、
前記第１伝送面におけるＭＡＣ層の伝送データを、確定した第２伝送面におけるＲＬＣエンティティに転送し、引き続き伝送するサブ手段とを備えることを特徴とする中継移動通信システムに基づくデータ伝送装置。
【請求項６】
中継移動通信システムに基づくデータ伝送装置であって、
前記装置のＵｎインターフェース・プロトコル・スタックに少なくとも２つの伝送面が配置され、
前記装置は、
第１伝送面においてＭＡＣ層のデータを伝送するＭＡＣ層パケットヘッドにおける保留ビット位置に載せたビット情報、およびプリセットビット情報とＲＬＣエンティティ・アイデンティティの対応関係に基づき、前記伝送データのＭＡＣ層パケットヘッドにおける保留ビット位置に載せたビット情報に対応するＲＬＣエンティティ・アイデンティティと一致するＲＬＣエンティティが所在する第２伝送面を確定するサブ手段と、
前記第１伝送面における前記ＭＡＣ層の伝送データを、確定した第２伝送面におけるＲＬＣエンティティに転送し、引き続き伝送するサブ手段とを備えることを特徴とする中継移動通信システムに基づくデータ伝送装置。
【発明の詳細な説明】
【技術分野】
【０００１】
本発明は移動通信技術分野に関し、特に中継移動通信システムに基づくデータ伝送方法および装置に関する。
【背景技術】
【０００２】
第３世代（３Ｇ）およびＢ３Ｇ（Ｂ３Ｇ，Ｂｅｙｏｎｄ  ３  Ｇｅｎｅｒａｔｉｏｎ）移動通信システムにおいて、セルカバレッジ範囲はいつも無線アクセスシステムを評価する重要な指標である。
ここで、無線アクセスシステムは、通常は基地局或いはアクセスポイントを介して無線サービスエリアのカバレッジを実現する。
しかし、移動端末の移動する特性のため、移動端末がサービスエリア以外位置する可能性があり、無線アクセスサービスを受けることができない場合もある。
また、移動端末がサービスエリア内にあったとしても、信号の伝送が伝送ルートにおける障害物により遮蔽される可能性があり、サービス品質の低下につながる。
これらを鑑みて、サービスエリアのシームレスカバレッジの解決およびシステム容量の増加のため、かつ、コストを出来る限り節約するため、次世代（３Ｇ  ＬＴＥ）移動通信の技術方案にて「中継」技術を提案した。
移動端末がサービスエリア外に位置する或いは信号品質がニーズに応じられない場合、中継ノード（ＲＮ，Ｒｅｌａｙ  Ｎｏｄｅ）或いは中継局（ＲＳ，Ｒｅｌａｙ  Ｓｔａｔｉｏｎ）により信号を通過させ、サービスエリアの拡大の実現或いは伝送の信頼性を高める。
これにより、カバレッジ範囲拡大およびセル容量拡大という目的を達する。
【０００３】
図１は中継局ＲＳを有する移動通信システムのアクセスネットワークのトポロジであり、この移動端末ＵＥは基地局（ｅＮｏｄｅ  Ｂ）により直接にコアネットワーク側と通信できる。
ＵＥがｅＮｏｄｅ  Ｂのカバレッジ範囲外にある場合、或いはＵＥとｅＮｏｄｅ  Ｂとの間の無線伝送リンクが障害物の遮蔽によりｅＮｏｄｅ  Ｂと通信できない場合、ＵＥはＲＳの信号中継役割によりｅＮｏｄｅ  Ｂとの通信を実現できる。
これにより、上述した状況においてもｅＮｏｄｅ  Ｂと通信できｅＮｏｄｅ  Ｂのカバレッジ範囲拡大およびセル容量拡大という目的を達する。
ここで、ＵＥとＲＳとの間の無線インターフェースをＵｕインターフェースとし、ＲＳとｅＮｏｄｅ  Ｂとの間の無線インターフェースをＵｎインターフェースとする。
【発明の概要】
【発明が解決しようとする課題】
【０００４】
現在、Ｕｎインターフェース的スループット率をいかに高め、Ｕｎインターフェースの遅延特性を改善するかは、既にＵｎインターフェース設計における主要な性能指標となっており当分野での共通の研究課題および解決が待たれる問題となっている。
【課題を解決するための手段】
【０００５】
本発明に係る実施形態は、中継移動通信システムにおける中継設備とｅＮｏｄｅ  Ｂとの間でのＵｎインターフェースのスループット率の向上およびＵｎインターフェースの遅延低下という問題を解決する中継移動通信システムに基づくデータ伝送方法および装置を提供する。
【０００６】
上述した問題を解決するために、本発明に係る実施形態は、中継設備および基地局ｅＮｏｄｅ  ＢのＵｎインターフェースプロトコルスタックにて少なくとも２つの伝送面を配置するステップと、中継設備およびｅＮｏｄｅ  ＢはＵｎインターフェースプロトコルスタックに配置した少なくとも２つの伝送面によりデータを伝送するステップとを含む中継移動通信システムに基づくデータ伝送方法を提供する。
【０００７】
本発明に係る実施形態はさらに、Ｕｎインターフェースプロトコルスタックにて少なくとも２つの伝送面が配置されている中継移動通信システムに基づくデータ伝送装置を提供する。
この装置はＵｎインターフェースプロトコルスタックに配置した少なくとも２つの伝送面によりデータを伝送するデータ伝送手段を含む。
【発明の効果】
【０００８】
本発明に係る実施形態方案によれば、中継移動通信システムにおける中継設備とｅＮｏｄｅ  ＢにおけるＵｎインターフェースプロトコルスタックとにそれぞれ少なくとも２つの伝送面を配置する。
そして、中継設備およびｅＮｏｄｅ  ＢはＵｎインターフェースプロトコルスタックにそれぞれ配置したこの少なくとも２つの伝送面によりデータを伝送する。
Ｕｎインターフェースプロトコルスタックにデータ伝送用の伝送面を複数配置しているため中継移動通信システムにおける中継設備とｅＮｏｄｅ  Ｂとの間のＵｎインターフェースのスループット率を大きく向上させることができ、データが占用する伝送面が不十分であるために起こる伝送遅延の問題を防ぐことができる。
【図面の簡単な説明】
【０００９】
本発明或いは従来技術中の技術方案をより詳細に説明するために、以下に本発明或いは従来技術説明に必要な図面を簡単に紹介する。
【図１】中継局ＲＳを有する移動通信システムアクセスネットワークを示すトポロジ。
【図２】ＲＳおよびｅＮｏｄｅ  ＢのＵｎインターフェース・プルトコル・スタックにおけるユーザー伝送面の構造を示す図。
【図３】ＲＳおよびｅＮｏｄｅ  ＢのＵｎインターフェース・プルトコル・スタックにおける伝送面を制御する構造を示す図。
【図４】ＲＳおよびｅＮｏｄｅ  ＢのＵｎインターフェース・プルトコル・スタックに配置した複数ユーザー伝送面を示す図。
【図５】ＲＳおよびｅＮｏｄｅ  ＢのＵｎインターフェース・プルトコル・スタックに配置した複数伝送面を制御することを示す図。
【図６】ＲＳは伝送面におけるＭＡＣ層にて伝送したデータを他の伝送面におけるＲＬＣ層に転送し引き続き伝送することを示す図。
【図７】ＲＳは伝送面におけるＭＡＣ層にて伝送したデータを他の伝送面におけるＲＬＣ層に転送し引き続き伝送することを示す図。
【図８】本発明の実施形態に基づき、ＲｅｌａｙおよびｅＮｏｄｅ  Ｂは自身のＵｎインターフェース・プルトコル・スタックに配置した複数制御伝送面により再送データを伝送することを示す図。
【図９】本発明の実施形態に基づき、ＲｅｌａｙおよびｅＮｏｄｅ  Ｂは自身のＵｎインターフェース・プルトコル・スタックに配置した複数ユーザー伝送面により再送データを伝送することを示す図。
【発明を実施するための最良の形態】
【００１０】
本発明に係る実施形態は中継移動通信システムにおいて、中継設備およびｅＮｏｄｅ  ＢのＵｎインターフェースプロトコルスタックに少なくとも２つの伝送面を配置することを提案している。
これにより、中継設備およびｅＮｏｄｅ  ＢはＵｎインターフェースプロトコルスタックに配置された複数伝送面によりデータを伝送することができ、複数伝送面によりデータを伝送するという目的を達することができる。
よって、中継設備とｅＮｏｄｅ  Ｂとの間のＵｎインターフェースのスループット率を高め、Ｕｎインターフェースの伝送遅延を低下させる。
本発明に係る実施形態における中継設備を、中継ノードＲＮとしてもよいし、中継局ＲＳとしてもよい。
具体的な応用においては、中継設備をＲＮ或いはＲＳとする場合の処理過程は一致している。
以下、実施形態における中継設備をＲＳとする場合の本発明に係る実施形態の技術案について詳細な説明を行う。
【００１１】
ここで、ＲＳおよびｅＮｏｄｅ  ＢのＵｎインターフェースプロトコルスタックに配置した複数伝送面はユーザー伝送面と制御伝送面とを含む。
図２は、ＲＳおよびｅＮｏｄｅ  ＢのＵｎインターフェース・プルトコル・スタックにおけるユーザー伝送面の構造を示す図である。
ここで、ユーザー伝送面は、物理層（Ｌ層）、メディアアクセス制御ＭＡＣ層、無線リンク制御（ＲＬＣ）エンティティ層およびパケットデータ制御プロトコル（ＰＤＣＰ）層を含む。
図３はＲＳおよびｅＮｏｄｅ  ＢのＵｎインターフェース・プルトコル・スタックにおける制御伝送の構造を示す図である。
ここで、制御伝送面は、物理層（Ｌ層）、ＭＡＣ層、ＲＬＣエンティティ層、ＰＤＣＰ層および無線リソース制御ＲＲＣ層を含む。
【００１２】
図４はＲＳおよびｅＮｏｄｅ  ＢのＵｎインターフェース・プルトコル・スタックにおいて配置した複数ユーザー伝送面を示す図である。
ここでは３つのユーザー伝送面の配置を例にとり説明する。
各ユーザー伝送面は全く異なるＵＥのデータ、再送データおよび新規の転送データ等を含む異なるサービスデータの伝送に用いることができる。
【００１３】
図５はＲＳおよびｅＮｏｄｅ  ＢのＵｎインターフェース・プルトコル・スタックに配置した複数制御伝送面を示す図である。
ここでは、３つの制御伝送面の配置を例にとり説明する。
各制御伝送面は全て異なる制御チャンネルデータの伝送に用いることができる。
【００１４】
さらに具体的に説明すると、本発明に係る実施形態よれば、Ｕｎインターフェースプロトコルスタックに配置した少なくとも２つの伝送面において、各伝送面毎にＭＡＣ  ＰＤＵをそれぞれ生成でき、かつ、生成したＭＡＣ  ＰＤＵによりデータを伝送する。
これに応じて、このＵｎインターフェースはＭＡＣ  ＰＤＵを複数伝送する必要がある。
【００１５】
そして、Ｕｎインターフェースプロトコルスタックに配置した少なくとも２つの伝送面は、ＭＡＣ層エンティティ、ＲＬＣエンティティ層エンティティおよびＰＤＣＰ層エンティティの中の少なくとも１つのエンティティを共用することによりデータを伝送できる。
或いは、Ｕｎインターフェースプロトコルスタックに配置した少なくとも２つの伝送面は、それぞれ各自のＭＡＣ層エンティティ、ＲＬＣ層エンティティおよびＰＤＣＰ層エンティティによりデータを伝送できる。
即ち、各伝送面の間で使用されるＭＡＣ層エンティティ、ＲＬＣ層エンティティおよびＰＤＣＰ層エンティティは互いに独立している。
【００１６】
具体的に、Ｕｎインターフェースプロトコルスタックに配置した少なくとも２つの伝送面がＭＡＣ層エンティティを共用する場合、このＭＡＣ層エンティティは複数ハイブリッド自動再送要求ＨＡＲＱプロセスにより複数ＭＡＣ  ＰＤＵをそれぞれ生成できる。
即ち、複数ＨＡＲＱプロセスにより異なる伝送面のためにそれぞれＭＡＣ  ＰＤＵを生成する。
具体的にＨＡＲＱエンティティは、１つ或いは複数ＨＡＲＱプロセスを生成することができる。
【００１７】
ここで、ＲＳおよびｅＮｏｄｅ  Ｂが自身のＵｎインターフェースプロトコルスタックに配置した複数制御伝送面を使用し異なるデータを伝送する実施方法は以下のいくつかの方法を含み、これらに限定しない。
【００１８】
［第１種］
ＲＳおよびｅＮｏｄｅ  ＢはＵｎインターフェースプロトコルスタックに配置した少なくとも２つの伝送面を２組に分割する。
そして、分割して得たその内１組の伝送面により新規の転送データを伝送する、かつ、分割して得た他の組の伝送面により再送データを伝送する。
図４或いは図５に示すように、ＲＳｔｐｅＮｏｄｅ  Ｂはユーザー伝送面１或いは制御伝送面１を使用し新規の転送データを伝送する、かつ、ユーザー伝送面２或いは制御伝送面２を使用し再送データを伝送する。
即ち、ＲＳおよびｅＮｏｄｅ  Ｂが伝送したデータを新規の転送データとする必要があると確認した場合、この伝送する必要があるデータをユーザー伝送面１或いは制御伝送面１に配置して伝送する。
伝送しなければならないデータを再送データとする必要があると確認した場合、この伝送する必要があるデータをユーザー伝送面２或いは制御伝送面２に配置して伝送する。
その内、再送データの伝送用の伝送面２を配置する場合、ＨＡＲＱの再送回数をさらに割当てることができる。
これにより、ＲＳおよびｅＮｏｄｅ  Ｂはハイブリッド自動再送要求（ＨＡＲＱ）に基づくデータ伝送の過程において、もし再送データを再送する必要がある場合、同時に新データを送信する必要があるという問題を解決する。
具体的には、伝送面を１つしか設置しない場合の、再送が必要なデータ再送を優先し、新データ伝送に遅延が発生するという問題を解決し、これにより新しいサービスデータをできる限り速く伝送させる。
【００１９】
［第２種］
ＲＳおよびｅＮｏｄｅ  Ｂは伝送待機データが必要とするサービス品質（ＱｏＳ）レベルを確定し、そして、Ｕｎインターフェース・プロトコル・スタックに配置した少なくとも２つの伝送面においてこの確定したＱｏＳレベルを提供できる伝送面を選定する。
これにより、ＲＳおよびｅＮｏｄｅ  Ｂは選択した伝送面により伝送待機データを伝送できる。
つまり、ＲＳおよびｅＮｏｄｅ  Ｂは同じＱｏＳのニーズを有するデータを同一伝送面に載せて伝送でき、異なるＱｏＳニーズを有するデータを異なる伝送面に載せて伝送でき、これにより複数ＱｏＳサービスを支援する。
例えば、図４或いは図５に示すように、ＲＳおよびｅＮｏｄｅ  Ｂはユーザー伝送面１或いは制御伝送面１を使用することによりＱｏＳ１ニーズを有するデータを伝送する、かつ、ユーザー伝送面２或いは制御伝送面２を使用しＱｏＳ２ニーズを有するデータを伝送する。
これにより、ＲＳおよびｅＮｏｄｅ  Ｂは異なるＱｏＳニーズを有するデータに対し伝送させることができる。
このため、異なるサービスの通信品質に応じることができ、特にＶｏＩＰサービスの通信品質に応じることができる。
【００２０】
［第３種］
ＲＳおよびｅＮｏｄｅ  Ｂは伝送データに対応するＵＥアイデンティティ、例えば、伝送データの伝送先であるＵＥアイデンティティ、或いは伝送データを送信してくれたＵＥアイデンティティに基づいて、Ｕｎインターフェースプロトコルスタックに配置した少なくとも２つの伝送面から、このＵＥアイデンティティが標識付けられたＵＥにサービスを提供する伝送面を確定し、そして、確定したこの伝送面によりこのＵＥに対応する伝送データを伝送する。
つまり、ＲＳ或いはｅＮｏｄｅ  Ｂがサービスする全ＵＥを組分けし、Ｕｎインターフェースプロトコルスタックに配置した各伝送面がその内の１組のＵＥの送信或いは受信データの伝送を担当する。
ＲＳ或いはｅＮｏｄｅ  Ｂは、Ｕｎインターフェースプロトコルスタックに配置した各伝送面に対し、この伝送面アイデンティティとこの伝送面が担当するＵＥアイデンティティとの対応関係をストレージできる。
これにより、ＲＳ或いはｅＮｏｄｅ  Ｂはデータを伝送するたび前に、まずこの伝送が必要なデータに対応するＵＥアイデンティティを検索し、再びストレージの対応関係からこのＵＥアイデンティティに対応する伝送面のアイデンティティを検出する。
そして対応データを検出した伝送面のアイデンティティを持つ伝送面にて伝送する。
例えば図４或いは図５に示すように、ＲＳおよびｅＮｏｄｅ  Ｂはユーザー伝送面１或いは制御伝送面１を使用し、ＲＳおよびｅＮｏｄｅ  Ｂが管轄するＵＥ１およびＵＥ２の送受信データを伝送する、かつ、ユーザー伝送面２或いは制御伝送面２を使用しＲＳおよびｅＮｏｄｅ  Ｂが管轄するＵＥ３およびＵＥ４の送受信のデータを伝送する。
【００２１】
［第４種］
ＲＳおよびｅＮｏｄｅ  Ｂは、第１伝送面におけるＭＡＣ層のデータを伝送するＭＡＣ層パケットヘッドの保留ビット位置に載せたビット情報に基づいて、Ｕｎインターフェースプロトコルスタックに配置した少なくとも２つの伝送面において、このビット情報が表示したＲＬＣエンティティ・アイデンティティと一致するＲＬＣエンティティが所在する第２伝送面を確定する。
そして、第１伝送面におけるＭＡＣ層での伝送データをこの確定した第２伝送面におけるＲＬＣエンティティに転送し引き続き伝送する。
【００２２】
Ｕｎインターフェースプロトコルスタックに少なくとも２つの伝送面を配置するため、異なる伝送面における異なるＭＡＣ層が重複利用される状況があらわれる可能性がある。
受信側は伝送面におけるＭＡＣ層にて伝送したデータを他の伝送面におけるＲＬＣ層に正確に転送し引き続き伝送するため、送信側がデータを伝送するＭＡＣ層ヘッドパケットの保留ビット位置に関連ビット情報を載せ、かつ、載せたこの関連ビット情報によりこのデータの転送先であるＲＬＣエンティティのアイデンティティを標識付ける。
例えば、Ｕｎインターフェースプロトコルスタックにて伝送面を２つ配置しており、番号をそれぞれ０と１とする。
伝送データＭＡＣ層パケットヘッドにおいて保留した１ビット位置に関連ビット情報を載せることができる、かつ、載せたこの関連ビット情報によりこのデータの転送先であるＲＬＣエンティティのアイデンティティを標識付ける。
具体的に図６（Ａ）および図６（Ｂ）は、ＲＳが伝送面におけるＭＡＣ層にて伝送したデータを他の伝送面のＲＬＣ層に転送し引き続き伝送することを示す図である。
ここでは、ＲＳを実施主体として例にとり説明すると（ｅＮｏｄｅ  Ｂの実行過程と同様）、ＲＳはまず、ユーザーＭからのデータのＭＡＣ層パケットヘッドにおいてリザーブビット位置に載せたビット情報を検出する。
もし、保留ビット位置に載せたビット情報を０（図６（Ａ）に示す）とすると、ＲＳはこのデータを伝送面０におけるＲＬＣ０エンティティに転送し引き続き伝送する。
これにより、ユーザーＭのデータを伝送面１におけるＭＡＣ１を伝送面０におけるＲＬＣ０に転送し引き続き伝送することを実現する。
もし、保留ビット位置に載せたビット情報を１（図６（Ｂ）に示す）とすると、このデータを伝送面１におけるＲＬＣ１エンティティに転送し引き続き伝送する。
これにより、ユーザーＭのデータを伝送面１全体により伝送することを実現する。
【００２３】
また、もしＵｎインターフェースプロトコルスタックに伝送面を４つ配置する場合、番号をそれぞれ０、１、２と３とする。
この際、伝送データＭＡＣ層パケットヘッドに保留した２ビット位置に関連ビット情報を載せ、かつ、載せたこの関連ビット情報に基づきこのデータの転送先であるＲＬＣエンティティのアイデンティティを標識付ける。
具体的に図７（Ａ）、図７（Ｂ）、図７（Ｃ）および図７（Ｄ）は、ＲＳは伝送面におけるＭＡＣ層にて伝送したデータを他の伝送面におけるＲＬＣ層に転送し引き続き伝送することを示す図である。
ここでも、上述した内容と同じようにＲＳを実施主体として例にとり説明すると（ｅＮｏｄｅ  Ｂの実行過程と同様）、ＲＳはまず、ユーザーＭからのデータのＭＡＣ層パケットヘッドにおいて保留ビット位置に載せたビット情報を検出する。
もし、保留ビット位置に載せたビット情報を０１（図７（Ａ）に示す）とすると、ＲＳはこのデータを伝送面１におけるＲＬＣ１エンティティに転送し引き続き伝送する。
これにより、ユーザーＭのデータを伝送面１全体により伝送するという目的を実現する。
もし、保留ビット位置に載せたビット情報を１０（図７（Ｂ）に示す）とすると、ＲＳはこのデータを伝送面２におけるＲＬＣ２エンティティに転送し引き続き伝送する。
これにより、ユーザーＭのデータを、伝送面１におけるＭＡＣ１を伝送面２におけるＲＬＣ２に転送することにより引き続き伝送することを実現する。
もし、保留ビット位置に載せたビット情報を１１（図７（Ｃ）に示す）とすると、ＲＳはこのデータを伝送面３におけるＲＬＣ３エンティティに転送し引き続き伝送する。
これにより、ユーザーＭのデータを、伝送面１におけるＭＡＣ１を伝送面３におけるＲＬＣ３に転送することにより引き続き伝送することを実現する。
もし、保留ビット位置に載せたビット情報を００（図７（Ｄ）に示す）とすると、ＲＳはこのデータを伝送面０におけるＲＬＣ０エンティティに転送し引き続き伝送する。
これにより、ユーザーＭのデータを伝送面１におけるＭＡＣ１により伝送面０におけるＲＬＣ０に転送することにより引き続き伝送することを実現する。
【００２４】
これ以外に、ＲＳおよびｅＮｏｄｅ  Ｂはさらに、第１伝送面におけるＭＡＣ層の伝送データのＭＡＣ層パケットヘッドにおいて保留ビット位置に載せたビット情報、およびプリセットしたビット情報とＲＬＣエンティティ・アイデンティティとの対応関係に基づき、伝送データのＭＡＣ層パケットヘッドにおいて保留ビット位置に載せたビット情報に対応するＲＬＣエンティティ・アイデンティティと一致するＲＬＣエンティティが所在する第２伝送面を確定することができる。
そして、第１伝送面のＭＡＣ層における伝送データを確定した第２伝送面におけるＲＬＣエンティティに転送し引き続き伝送する。
【００２５】
図８は本発明の実施形態に基づき、ＲｅｌａｙおよびｅＮｏｄｅ  Ｂは、自身のＵｎインターフェース・プルトコル・スタックにおいて配置した複数制御伝送面により再送データを伝送することを示す図である。
【００２６】
図９は本発明の実施形態に基づき、ＲｅｌａｙおよびｅＮｏｄｅ  Ｂは、自身のＵｎインターフェース・プルトコル・スタックにおいて配置した複数ユーザー伝送面により再送データを伝送することを示す図である。
【００２７】
このように、ＲｅｌａｙおよびｅＮｏｄｅ  ＢはＭＡＣ  ＳｕｂＨｅａｄｅｒにおける保留ビット位置のコード化方法により、Ｕｎインターフェース・プロトコル・スタックに配置した複数ユーザー伝送面と制御伝送面とを下記のデータに割り当てて占用される。
データは具体的に、異なるＱｏＳが要求したデータ、或いは異なるＵＥが送受信するデータ、或いは新規の転送データまたは再送データなどがある。
【００２８】
これに応じて、本発明が提供する中継移動通信システムに基づくデータ伝送装置を、中継移動通信システムにおけるＲｅｌａｙ（例えば，中継ノードＲＮ或いは中継局ＲＳ）とすることができ、さらにｅＮｏｄｅ  Ｂとすることもできる。
そして、この装置のＵｎインターフェース・プロトコル・スタックに少なくとも２つの伝送面を配置し、また、この装置はＵｎインターフェース・プロトコル・スタックに配置した少なくとも２つの伝送面によりデータを伝送するデータ伝送手段を含む。
【００２９】
本発明の一つの好ましい実施形態にかかるデータ伝送手段は、Ｕｎインターフェース・プロトコル・スタックに配置した少なくとも２つの伝送面を少なくとも２組に分割するサブ手段と、分割して得たその内１組の伝送面により新規の転送データを伝送し、かつ、分割して得た他の組の伝送面に基づき再送データを伝送するサブ手段とを含む。
【００３０】
本発明の実施形態にかかるデータ伝送手段は、伝送待機データが所要するサービス品質ＱｏＳレベルを確定するサブ手段と、Ｕｎインターフェース・プロトコル・スタックに配置した少なくとも２つの伝送面から確定したＱｏＳレベルを提供できる伝送面を選定するサブ手段と、選定した伝送面により伝送待機データを伝送するサブ手段とを含む。
【００３１】
本発明の実施形態にかかるデータ伝送手段は、伝送データに対応するＵＥアイデンティティにより、Ｕｎインターフェース・プロトコル・スタックに配置した少なくとも２つの伝送面において、ＵＥアイデンティティが標識付けられたＵＥにサービスを提供する伝送面を確定するサブ手段と、確定した伝送面により伝送データを伝送するサブ手段とを含む。
【００３２】
本発明に係る実施形態におけるデータ伝送手段は、第１伝送面におけるメディアアクセス制御ＭＡＣ層の伝送データのＭＡＣ層パケットヘッドにおいて保留ビット位置に載せたビット情報により、Ｕｎインターフェース・プロトコル・スタックに配置した少なくとも２つの伝送面においてビット情報が表示する無線リンク制御ＲＬＣエンティティ・アイデンティティと一致するＲＬＣエンティティが所在する第２伝送面を確定するサブ手段と、第１伝送面におけるＭＡＣ層の伝送データを確定した第２伝送面におけるＲＬＣエンティティに転送し引き続き伝送するサブ手段を含む。
【００３３】
本発明に係る実施形態におけるデータ伝送手段は、第１伝送面におけるＭＡＣ層の伝送データのＭＡＣ層パケットヘッドにおいて保留ビット位置に載せたビット情報、およびプリセットしたビット情報とＲＬＣエンティティ・アイデンティティとの対応関係により、伝送データのＭＡＣ層パケットヘッドにおいて保留ビット位置に載せたビット情報に対応するＲＬＣエンティティ・アイデンティティと一致するＲＬＣエンティティが所在する第２伝送面を確定するサブ手段と、第１伝送面におけるＭＡＣ層の伝送データを確定した第２伝送面におけるＲＬＣエンティティに転送し引き続き伝送するサブ手段とを含む。
【００３４】
本発明の一つの好ましい実施形態に係るデータ伝送手段は、Ｕｎインターフェース・プロトコル・スタックに配置した少なくとも２つの伝送面にそれぞれ生成したＭＡＣパケットデータユニット（ＰＤＵ）によりデータを伝送するサブ手段を含む。
【００３５】
本発明の一つの好ましい実施形態に係るデータ伝送手段は、Ｕｎインターフェース・プロトコル・スタックに配置した少なくとも２つの伝送面がＭＡＣ層エンティティ、ＲＬＣ層エンティティおよびパケットデータ制御プロトコルＰＤＣＰ層エンティティ内の少なくとも１つのプロトコル層エンティティを共用することによりデータを伝送するサブ手段と、或いは、Ｕｎインターフェース・プロトコル・スタックに配置した少なくとも２つの伝送面がそれぞれ各自のＭＡＣ層エンティティ、ＲＬＣ層エンティティおよびＰＤＣＰ層エンティティによりデータを伝送するサブ手段とを含む。
【００３６】
このデータ伝送手段が係るＵｎインターフェース、プロトコル、スタックに配置した少なくとも２つの伝送面により、データをいかに伝送するかについての詳細な実現方法については上述した方法における詳細な記述を参照して頂きたい。
ここでは説明を省略する。
【００３７】
本技術分野を熟知する如何なる技術者が、本発明が開示する技術範囲内で容易に想到する変更や置換えも本発明の保護範囲内に含まれるものである。
【図１】
0005469750.tif 000002
【図２】
0005469750.tif 000003
【図３】
0005469750.tif 000004
【図４】
0005469750.tif 000005
【図５】
0005469750.tif 000006
【図６】
0005469750.tif 000007
【図７】
0005469750.tif 000008
【図８】
0005469750.tif 000009
【図９】
0005469750.tif 000010